(57)【特許請求の範囲】
【請求項１】
建物の枠手段に形成された開口部を開閉する換気装置であって、開口部に連通した通路に回転自在に配された羽根手段と、この羽根手段を回転させて、当該羽根手段により通路の開閉を行わせる回転手段と、この回転手段に羽根手段を連結する連結機構とを具備しており、羽根手段は、通路に回転自在に配された羽根部材を具備しており、羽根部材は、開口部を規定する枠手段の一縁部に当接する一方の当接部と、枠手段の一縁部と共に開口部を規定する枠手段の他縁部に当接する他方の当接部と、両当接部を橋絡する円弧部とを具備しており、回転手段は、回転力を羽根手段の羽根部材に伝達するための回転軸を具備しており、連結機構は、回転手段の回転軸に対して羽根部材の回転位置を調整し得るように構成されており、前記一縁部及び他縁部と共に開口部を規定する枠手段の両側縁部のそれぞれには、羽根部材の円弧部の各側縁部が当接する円弧シール面を有した弾性のシール部材が固着されており、回転手段は、円弧部の円弧の曲率中心に対して偏心した位置を中心とし、且つ円弧部の円弧の曲率半径よりも大きな回転半径をもって、円弧部を回転させるように、羽根手段に連結されており、シール部材の円弧シール面の曲率半径は、円弧部の円弧の曲率半径と略同一であって、その曲率中心は、羽根手段の回転中心に位置しているロータリ式換気装置。
【請求項２】
羽根部材は、羽根本体と、羽根本体の両端に固着されたフランジ体とを具備しており、連結機構は、回転軸に固着されたフランジ板と、このフランジ板の一方の面に設けられたセレーションと、このセレーションに噛み合うように、フランジ板の一方の面に対面するフランジ体の一方の面に設けられた他のセレーションと、フランジ体とフランジ板との回転方向の相対位置を調整し得ると共に、この調整された相対位置で両セレーションを噛み合わせてフランジ体とフランジ板とを固定する調整、固定手段とを具備している請求項１に記載のロータリ式換気装置。
【請求項３】
建物の枠手段に形成された開口部を開閉する換気装置であって、開口部に連通した通路に回転自在に配された羽根手段と、この羽根手段を回転させて、当該羽根手段により通路の開閉を行わせる回転手段と、この回転手段に羽根手段を連結する連結機構とを具備しており、羽根手段は、通路に回転自在に配された羽根部材を具備しており、羽根部材は、羽根本体と、羽根本体の両端に固着されたフランジ体と、開口部を規定する枠手段の一縁部に当接する一方の当接部と、枠手段の一縁部と共に開口部を規定する枠手段の他縁部に当接する他方の当接部と、両当接部を橋絡する円弧部とを具備しており、回転手段は、回転力を羽根手段の羽根部材に伝達するための回転軸を具備しており、回転手段の回転軸に対して羽根部材の回転位置を調整し得るように構成されている連結機構は、回転軸に固着されたフランジ板と、このフランジ板の一方の面に設けられたセレーションと、このセレーションに噛み合うように、フランジ板の一方の面に対面するフランジ体の一方の面に設けられた他のセレーションと、フランジ体とフランジ板との回転方向の相対位置を調整し得ると共に、この調整された相対位置で両セレーションを噛み合わせてフランジ体とフランジ板とを固定する調整、固定手段とを具備しているロータリ式換気装置。
【請求項４】
枠手段の枠本体には、羽根部材の当接部のそれぞれが当接するシールが嵌着されている請求項１から３のいずれか一項に記載のロータリ式換気装置。
【請求項５】
開口部は、建物の枠手段に少なくとも一対形成されており、羽根部材は、各開口部に連通した各通路に配されており、回転手段の回転軸は、その各一端が各羽根部材に連結機構を介して連結されて、軸方向に関して並置されて一対設けられており、回転手段は、回転駆動源としての電動モータと、この電動モータの出力軸の回転を各回転軸に伝達する歯車機構とを具備している請求項１から４のいずれか一項に記載のロータリ式換気装置。
【請求項６】
回転手段の回転軸と歯車機構の出力回転軸とは、嵌合連結されている請求項５に記載のロータリ式換気装置。
【発明の詳細な説明】
【０００１】
【発明の属する技術分野】
本発明は、ビル等の建物において、窓枠等に形成される開口部に取り付けられるロータリ式換気装置に関する。
【０００２】
【発明が解決しようとする課題】
この種の換気装置としては、実開昭６３−１７３４８８号公報等に記載されたものが知られているが、いずれもヒンジ機構を介して窓枠等に回動自在に閉鎖板を取り付け、換気の際には、閉鎖板のヒンジ機構を介する回動により開口部を開放するようにしている。
【０００３】
ところで、上記のような従来の換気装置では、開口部の開放の際に、閉鎖板が建物の内部側、すなわち室内側に回動され、内部側に大きく張り出し、結果として、閉鎖板の張り出し用のスペースを多く必要とする。加えて、閉鎖板がその一縁側でのみヒンジ機構に支えられた、いわゆる片持ち支持であるため、強風時等において、外気側の閉鎖板の面に強力な風圧（正又は負圧）が加わると、閉鎖板がその自由端側でばたついて、不快なばたつき音等が発生したり、ここから強風が内部に導入される虞を有する。更に、従来の換気装置では、外部が負圧時において、換気のために閉鎖板を回動する場合、その回動抵抗が極めて大きく、初期回動が容易に行い得ない場合がある。
【０００４】
また、実公昭５５−３７６６２号公報に記載の換気装置は、操作ロッドの上下動によりピニオンを介してシャッタ板を回動させるものであって、一応、上記の問題点を解決し得るのであるが、操作ロッドに対するシャッタ板の独立的な回動角の微調整が困難であって、組立、修理、保守に時間がかかり、必ずしも満足し得るものではない。
【０００５】
更に、実公昭５５−３７６６２号公報に記載の換気装置では、閉鎖時、シャッタ板の両端外面を単にモケット部材に当接させているだけであるため、十分なシール効果を発揮し得るものではない。
【０００６】
本発明は、前記諸点に鑑みてなされたものであって、その目的とするところは、占有スペースを小さくすることができ、しかも、強風時等においてもばたつきによる不快音の生じる虞がなく、また、しっかりと開口部を閉鎖することができ、加えて、換気作動を容易にかつ滑らかに行い得ると共に、簡単に組み立て、修理、保守を行い得る優れたロータリ式換気装置を提供することにある。
【０００７】
また本発明は、十分なシール効果を確実に発揮し得、更に、一対の開口部を同時的に開閉し得て効果的な換気を行い得るロータリ式換気装置を提供することにある。
【０００８】
【課題を解決するための手段】
本発明によれば前記目的は、建物の枠手段に形成された開口部を開閉する換気装置であって、開口部に連通した通路に回転自在に配された羽根手段と、この羽根手段を回転させて、当該羽根手段により通路の開閉を行わせる回転手段と、この回転手段に羽根手段を連結する連結機構とを具備しており、羽根手段は、通路に回転自在に配された羽根部材を具備しており、羽根部材は、開口部を規定する枠手段の一縁部に当接する一方の当接部と、枠手段の一縁部と共に開口部を規定する枠手段の他縁部に当接する他方の当接部と、両当接部を橋絡する円弧部とを具備しており、回転手段は、回転力を羽根手段の羽根部材に伝達するための回転軸を具備しており、連結機構は、回転手段の回転軸に対して羽根部材の回転位置を調整し得るように構成されているロータリ式換気装置によって達成される。
【０００９】
本発明では、羽根部材は、長尺の羽根本体、好ましくは中空の羽根本体と、この羽根本体の両端に固着されたフランジ体とを具備しており、好ましい例では、一方の当接部は、羽根本体及びフランジ体に一体的に形成された突条及び突起からなり、他方の当接部は、羽根本体及びフランジ体の平坦側面部からなる。また他の好ましい例では、枠手段の枠本体には、羽根部材の対応の当接部が当接するシールが嵌着されている。
【００１０】
また、本発明では、前記一縁部及び他縁部と共に開口部を規定する枠手段の両側縁部のそれぞれには、羽根部材の円弧部の各側縁部が当接する円弧シール面を有した弾性シール部材が固着されており、回転手段は、円弧部の円弧の中心に対して偏心した位置を中心とし、且つ円弧部の円弧の曲率半径よりも大きな回転半径をもって、円弧部を回転させるように、羽根手段に連結されており、シール部材の円弧シール面の曲率半径は、円弧部の円弧の曲率半径と略同一であって、その曲率中心は、羽根手段の回転中心に位置している。このように構成することにより、後述するように、開口部の両側に設けられたシール部材の円弧シール面へ当該シール部材を弾性圧縮させて円弧部の両端部をぴったりと当接させることができ、気密性を高めることができる。
【００１１】
本発明では、開口部は、建物の枠手段に少なくとも一対形成されており、羽根部材は、各開口部に連通した各通路に配されており、回転手段の回転軸は、その各一端が各羽根部材に連結機構を介して連結されて、軸方向に関して並置されて一対設けられており、回転手段は、回転駆動源としての電動モータと、この電動モータの出力軸の回転を各回転軸に伝達する歯車機構とを具備している。このように、羽根部材が一対の開口部の各通路に配される場合には、連結機構により、一方の羽根部材の回転位置に対して他方の羽根部材の回転位置を調整することもできる。この連結機構としては、本発明では、回転軸に固着されたフランジ板と、このフランジ板の一方の面に設けられたセレーションと、このセレーションに噛み合うように、フランジ板の一方の面に対面する羽根部材のフランジ体の一方の面に設けられた他のセレーションと、フランジ体とフランジ板との回転方向の相対位置を調整し得ると共に、この調整された相対位置で両セレーションを噛み合わせてフランジ体とフランジ板とを固定する調整、固定手段とを具備して構成する。フランジ体及びフランジ板に設けられるセレーションは、それぞれに一体形成して構成してもよいが、セレーション板を別に準備して、このセレーション板をねじ等によりフランジ体及びフランジ板に取り付けて、構成してもよい。
【００１２】
この調節可能な連結機構を具備することにより、簡単に組み立て、修理、保守を行い得ると共に、開口部が建物の枠手段に少なくとも一対形成されて、一対の羽根部材の夫々を各開口部に連通した各通路に配する場合には、各羽根部材による各通路の閉鎖、開放を同一に行い得ることができ、一方が完全閉鎖において、他方が若干隙間が生じているような不都合を生じなくし得る。
【００１３】
【発明の実施の形態】
次に本発明及びその実施の形態を、図に示す好ましい実施例に基づいて更に詳細に説明する。なお、本発明はこれら実施例に何等限定されないのである。
【００１４】
【実施例】
図１から図１０において、本例のロータリ式換気装置１は、建物のガラス窓３において、ガラス窓３の上下に関して隣接するガラス板４及び５の下端部６及び上端部７をそれぞれ支持する枠手段８に長手方向に関して配列されて形成された一対の開口部９及び１０を開閉するように用いられる。
【００１５】
ガラス窓３は、上記枠手段８と、階のフロアー１１に近接して配された下横枠１２と、中間に配された中間横枠１３と、上の階のフロアー１４に近接して配された上横枠１５と、多数の縦枠１６と、これら横枠及び縦枠に支持された上記ガラス４及び５並びに他の多数のガラス板１７とを具備している。フロアー１１、１４、下横枠１２、中間横枠１３、上横枠１５及び縦枠１６と、これら横枠及び縦枠に支持されたガラス板４、５及び１７とに関しては、公知の手段が用いられて形成、組み立てられており、したがって、これらについての詳細な説明は省略する。
【００１６】
枠手段８は、横方向に延びた長尺の枠本体２１と、ねじ２２により枠本体２１の外壁部２３の上部に固着された座取付け枠２４と、座取付け枠２４に支持されて、ガラス板４の下端部６が着座する座２５と、ガラス板４の下端部６を挟持するように、ガラス板４の下端部６と枠本体２１の外壁部２３との間に配された一対のシール２６及び２７と、一方では、ねじ２８により枠本体２１の内壁部２９に固着され、他方では、枠本体２１の下連結部３０に嵌着された中空の横部材３１と、ガラス板５の上端部７を挟持するように、ガラス板５の上端部７と枠本体２１の外壁部２３及び横部材３１との間に配された一対のシール３２及び３３と、枠本体２１の一対の突起部３４及び３５が載置された補強横部材３６と、各開口部９及び１０のそれぞれの横方向の両端における枠本体２１の内壁部２９に溶接などにより固着された縦壁部材３７と、開口部９及び１０のそれぞれの両側において、枠本体２１の内壁部２９及び各縦壁部材３７にそれぞれ固着されて、円弧状の円弧シール面８２を有した弾性のシール部材３８とを具備している。
【００１７】
枠本体２１は、その横方向の両端で各ねじ４１等を介して各縦枠１６に固着されて、これに支持されており、補強横部材３６は、同じくその横方向両端で各縦枠１６にねじ等により支持されている。本例のガラス板５には、透明のガラス板４３と補強ガラス板４４とからなる複層のものが使用されている。
【００１８】
開口部９は、枠本体２１の外壁部２３に形成された外側開口５１と、枠本体２１の内壁部２９に形成された内側開口５２とからなり、開口部１０もまた、図示しないが、枠本体２１の外壁部２３に形成された外側開口と、枠本体の内壁部２８に形成された内側開口とからなる。以下、開口部９側と開口部１０側とは同様に形成されているので、主に、開口部９側について説明し、必要に応じて開口部１０側を説明する。
【００１９】
開口部９において、内側開口５２の上縁を規定する内壁部２９の水平突出部５５の先端には、シール５６が嵌着されており、同じく内側開口５２の下縁を規定する内壁部２９の断面Ｌ字状突出部５７の先端には、シール５８が嵌着されている。
【００２０】
換気装置１は、開口部９及び１０に連通した夫々の通路６１（開口部１０側は図示せず）に回転自在に配された羽根手段６３と、羽根手段６３を回転させて、当該羽根手段６３により通路６１（開口部１０側の通路も含む）の開閉、換言すれば開口部９及び１０の開閉を行わせるように、羽根手段６３に連結された回転手段６４とを具備している。
【００２１】
羽根手段６３は、長手方向に関して並置された一対の羽根部材６５及び６６を具備しており、羽根部材６５は、開口部９側の通路６１を開閉するように、羽根部材６６は、開口部１０側の通路を開閉するように、それぞれ配されている。羽根部材６５と６６とは、それぞれ同様に形成されているので、以下、羽根部材６５について主に説明する。
【００２２】
羽根部材６５は、開口部９を規定する枠手段８の一縁部、すなわち水平突出部５５の先端に嵌着されたシール５６に当接する横方向に延びる一方の当接部７６と、シール５６に対向しており、当該シール５６と共に開口部９を規定する枠手段８の他縁部、すなわちに内壁部２９の断面Ｌ字状突出部５７の先端に嵌着されたシール５８に当接する横方向に延びる他方の当接部７７と、両当接部７１及び７２を橋絡して、横方向に延びる円弧部７８とを具備している。具体的には、羽根部材６５は、長尺の中空羽根本体７１と、中空羽根本体７１の中空部７２の両端を閉塞するように、中空羽根本体７１の両端にねじ７３などにより固着されたフランジ体７４及び７５とを具備している。当接部７６は、中空羽根本体７１並びにフランジ体７４及び７５にそれぞれ一体的に形成された突条及び突起からなり、当接部７７は、中空羽根本体７１並びにフランジ体７４及び７５のそれぞれの平坦側面部からなる。フランジ体７４及び７５のそれぞれは、扇形部７９と円形部８０とを一体に有しており、扇形部７９は、中空羽根本体７１の横端面の形状に対応して形成されている。フランジ体７４及び７５のそれぞれの扇形部７９の円弧状の外周面８１及び中空羽根本体７１の両端外周面、すなわち円弧部７８の各側縁部の外周面は、開口部９の閉鎖時に、対応の縦壁部材３７に固着されたシール部材３８の円弧シール面８２に接するようになっている。各シール部材３８の円弧シール面８２は、その曲率半径が円弧部７８の円弧外周面１４３の曲率半径と略同一であって、かつ、その曲率中心が羽根部材６５の回転中心１４２に位置するように、形成されている。
【００２３】
フランジ体７４の円形部８０には、回転軸９１に固着されたフランジ板８５がねじ８６を介して取り付けられている。回転軸９１は、軸受９３にそれぞれ回転自在に支持されており、軸受９３は、ねじ９４、基台９５を介して枠本体２１の内壁部２９に固定されている。このようにして羽根部材６５は、その一端側において回転軸９１及び軸受９３を介して枠本体２１に回転自在に支持されている（羽根部材６６側も同様）。
【００２４】
回転手段６４は、両羽根部材６５及び６６間に配されており、両羽根部材６５及び６６の回転に対する共通の回転駆動源としての電動モータ１０１と、各一端１０２が羽根部材６５及び６６に連結機構１０３のそれぞれを介して連結されて、軸方向に関して並置された一対の回転軸９２と、一対の回転軸９２のそれぞれの他端１０４に電動モータ１０１の出力軸１０５の回転を伝達する歯車機構１０７と、各回転軸９２の一定以上の回転を規制する規制手段１０８と、各回転軸９２を回転自在に支持する一対の軸受９６とを具備している。回転手段６４は、以上の自動回転機構に加えて、手動の回転機構１０９を具備していてもよい。
【００２５】
電動モータ１０１、一対の軸受９６及び歯車機構１０７は、ねじ等を介して基台１２１に取り付けられており、基台１２１は、枠本体２１の内壁部２９の横方向中央部に同じくねじ等を介して取り付けられている。
【００２６】
各連結機構１０３は、回転軸９２の一端１０２にねじ１２２等を介して固着されたフランジ板１３１と、フランジ板１３１の一方の面に形成されたセレーション１３２と、フランジ板１３１の一方の面に対面するフランジ体７５の円形部８０の一方の面にねじ１３３を介して取り付けられて、セレーション１３２に噛み合う他のセレーション１３４が形成されたセレーション板１３５と、フランジ体７５とフランジ板１３１との回転方向（Ａ及びＢ方向）の相対位置を調整し得ると共に、この調整された相対位置で両セレーション１３２及び１３４を噛み合わせてフランジ体７５とフランジ板１３１とを固定する調整、固定手段１３６とを具備している。調整、固定手段１３６は、フランジ板１３１に形成された複数の円弧状の長孔１３７と、各長孔１３７に挿入されて、セレーション板１３５に螺合したねじ１３８とを具備しており、調整、固定手段１３６において、フランジ板１３１に対するフランジ体７５の回転方向（Ａ及びＢ方向）の相対位置を決定後、ねじ１３８を締め付けることによって、調整された相対位置で両セレーション１３２及び１３４を噛み合わせてフランジ体７５とフランジ板１３１とを固定することができる。このように、各連結機構１０３は、羽根部材６５及び６６のそれぞれのＡ及びＢ方向の回転位置に加えて、羽根部材６６のＡ及びＢ方向の回転位置（回転角）に対して羽根部材６５のＡ及びＢ方向の回転位置（回転角）を調整し得るように構成されている。
【００２７】
フランジ体７５の円形部８０及びセレーション板１３５を貫通した回転軸９２の他端１０４は、六角柱状に形成されており、この六角柱状の他端１０４は、歯車機構１０７の出力回転軸１３９の嵌合孔に嵌入されて、止めねじ１４０により抜けないようにされている。こうして回転手段６４の回転軸９２と歯車機構１０７の出力回転軸１３９とは、嵌合連結されている。
【００２８】
また、回転手段６４は、開口部９及び１０の開閉において、円弧部７８の円弧の中心１４１に対して偏心した位置１４２を中心として、且つ円弧部７８の外周面１４３の曲率半径Ｒ１よりも大きな回転半径Ｒ２をもって、羽根部材６５及び６６の円弧部７８をＡ方向及びＢ方向に回転させるように、各回転軸９２が各フランジ体７５の円形部８０に取り付けられて、各羽根部材６５及び６６に連結されている。なお、回転軸９１もまた、同様にして、フランジ体７４の円形部８０に偏心して取り付けられている。
【００２９】
歯車機構１０７は、複数の互いに噛み合った歯車を具備しており、電動モータ１０１の出力回転軸１０５の回転を、その出力回転軸１３９を介して、各回転軸９２に伝達し、かつ各回転軸９２を互いに同方向に回転させるようになっている。
【００３０】
規制手段１０８は、歯車機構１０７の各出力回転軸１３９に固着された規制部材１５１を具備している。各規制部材１５１の一方の端面１５２は、出力回転軸１３９のＡ方向の回転により基台１２１に当接して、出力回転軸１３９のそれ以上の回転を禁止し、規制部材の１５１の他方の端面１５３は、出力回転軸１３９のＢ方向の回転により基台１２１に当接して、出力回転軸１３９のそれ以上の回転を禁止する。規制部材１５１の端面１５２の基台１２１への当接は、両当接部７６及び７７がそれぞれシール５６及び５８に当接して、これを若干撓ませて当接部７６及び７７のそれぞれがぴたりとシール５６及び５８に当接する位置以上に羽根部材６５及び６６が回転されようとする際において行われるようにし、規制部材１５１の端面１５３の基台１２１への当接は、羽根部材６５及び６６の夫々による通路６１の完全解放が達成された位置（図１参照）以上に羽根部材６５及び６６が回転されようとする際において行われるようにする。
【００３１】
手動の回転機構１０９は、歯車機構１０７から突出した回転軸１６１と、回転軸１６１に嵌合し得る回転ハンドル１６２とを具備しており、通路６１の手動開閉の際には、ハンドル１６２を回転軸１６１に嵌合して、手動にてハンドル１６２を回転させることにより、電動モータ１０１の作動と同様に、各回転軸９２を同方向に回転させることができようにようになっている。
【００３２】
本例では、換気装置１を覆ってカバー１７１が設けられており、カバー１７１は、上カバー部１７２と下カバー部１７３とを具備している。上カバー部１７２は、上縁１７４において枠本体２１の上連結部１７５の一縁に嵌着されており、下縁１７６において下カバー部１７３の一縁１７７にねじ１７８を介して連結されている。下カバー部１７３は、他の一縁１７９で枠本体２１にねじ１８０及びナット１８１等を介して連結、取り付けられている。下カバー部１７３には、通路６１の他方の開口１８１が形成されている。
【００３３】
枠本体２１の外壁部２３及び内壁部２９とによって囲まれる空間１８２であって、外側開口５１と内側開口５２との間には、支持部材１８３に両端が支持されて防鳥線１８４が複数本横方向に張設されており、支持部材１８３は、ねじ１８５等により枠本体２１に取り付けられている。防鳥線１８４により外側開口５１を介する通路６１への鳥の侵入等を阻止するようになっている。
【００３４】
以上のように形成された換気装置１では、ガラス窓３内の室内２０１と外部２０２とを通路６１を介して連通させない場合、換言すれば、室内２０１を換気しない場合には、羽根部材６５及び６６は、図８に示すような回転位置で静止されている。この位置では、当接部７６及び７７がシール５６及び５８をそれぞれ若干撓ませて、これらにぴったりと当接し、また、フランジ体７４及び７５のそれぞれの扇形部７９の外周面８１及びその側面の一部並びに中空羽根本体７１の外周面の横方向両端部がシール３８を若干弾性的に圧縮、撓ませて、これにぴったりと当接している。
【００３５】
以上の状態で、室内２０１又は制御室に設けられた操作盤の換気スイッチの操作で電動モータ１０１が作動されると、回転軸９２を介して羽根部材６５及び６６は、Ｂ方向に回転されて図１に示す回転位置に設定される。図１に示す回転位置に羽根部材６５及び６６が設定されると、羽根部材６５及び６６のこの回転位置を検出する非接触型の検出器（図示せず）からの検出信号により、電動モータ１０１の作動が停止される。これにより開口部９及び１０は開放されて、室内２０１と外部２０２とは、通路６１を介して連通され、室内２０１の換気が可能となる。
【００３６】
上記と逆に、操作盤の閉鎖スイッチの操作で電動モータ１０１が作動されると、回転軸９２を介して羽根部材６５及び６６は、Ａ方向に回転されて図８に示す回転位置に設定される。図８に示す回転位置に羽根部材６５及び６６が設定されると、羽根部材６５及び６６のこの回転位置を検出する非接触型の検出器（図示せず）からの検出信号により、電動モータ１０１の作動が停止される。これにより開口部９及び１０は閉鎖されて、室内２０１と外部２０２との連通が絶たれ、室内２０１の換気が不可能となる。なお、羽根部材６５及び６６の回転途中で、換気スイッチ若しくは閉鎖スイッチの操作停止又は停止スイッチの操作により、羽根部材６５及び６６を途中の回転位置で停止させ、通路６１の開口量を任意に調節することができるようにしてもよい。
【００３７】
ところで換気装置１では、円弧部７８を有して、ほぼその曲率中心おいて回転軸９１及び９２を介して支持された羽根部材６５及び６６により開口部９及び１０を閉鎖しているため、占有スペースを小さくすることができ、しかも、強風が生じても、シール５６及び５８に当接した当接部７６及び７７がばたつくことがなく、不快な音が生じないようにし得る。
【００３８】
また、羽根部材６５及び６６を回転させて通路６１の開閉を行うため、室内２０１が外部２０２に対して正圧であっても、容易に閉鎖状態から開放状態に羽根部材６５及び６６を設定することができる。
【００３９】
加えて、円弧部７８の円弧状の外周面１４３の曲率中心に対して偏心した位置であって、しかも円弧部７８の円弧状の外周面１４３の曲率半径よりも大きい回転半径をもって羽根部材６５及び６６の円弧部７８を回転させるため、円弧部７８と略同一の曲率半径を有して、曲率中心が羽根部材６５及び６６の回転中心に配された円弧シール面８２への当接を密に行わせることができ、したがって、気密性を著しく向上させることができる。
【００４０】
その上、回転手段６４の回転軸９２に対する羽根部材６５及び６６各自の回転位置並びに羽根部材６５と羽根部材６６との互いの相対的な回転位置を調節し得るようになっているため、簡単に組み立て、修理、保守を行い得ると共に、両開口部９及び１０を同期して開放及び閉鎖状態にすることができ、好ましく換気状態及び非換気状態に設定し得る。
【００４１】
【発明の効果】
以上のように本発明によれば、占有スペースを小さくすることができ、しかも、強風時等においてもばたつきによる不快音の生じる虞がなく、また、しっかりと開口部を閉鎖することができ、加えて、換気作動を容易にかつ滑らかに行い得る上に、連結機構が回転手段の回転軸に対して羽根部材の回転位置を調整し得るように構成されているため、簡単に組み立て、修理、保守を行い得る優れたロータリ式換気装置を提供することができる。
【図面の簡単な説明】
【図１】本発明の好ましい一実施例の側面断面図である。
【図２】図１に示す実施例の換気装置が適用される建物のガラス窓の説明図である。
【図３】図２に示すガラス窓の拡大説明図である。
【図４】図２に示すガラス窓に図１に示す実施例が適用された側面断面説明図である。
【図５】図１に示す実施例の正面説明図である。
【図６】図１に示す実施例の平面説明図である。
【図７】図６に示すＶＩ−ＶＩ線断面説明図である。
【図８】図１に示す実施例の動作説明図である。
【図９】図１に示す実施例の羽根部材の説明斜視図である。
【図１０】図１に示す実施例の連結機構等の説明図である。
【符号の説明】
１  換気装置
３  ガラス窓
４、５  ガラス板
８  枠手段
９、１０  開口部
５６、５８  シール
６３  羽根手段
６４  回転手段
６５、６６  羽根部材
７６、７７  当接部
７８  円弧部
【図１】
0003823427.tif 000002
【図２】
0003823427.tif 000003
【図３】
0003823427.tif 000004
【図４】
0003823427.tif 000005
【図５】
0003823427.tif 000006
【図６】
0003823427.tif 000007
【図７】
0003823427.tif 000008
【図８】
0003823427.tif 000009
【図９】
0003823427.tif 000010
【図１０】
0003823427.tif 000011